(57)【要約】【目的】  小型軽量の充電式電動ドリルドライバーに装着して用いることができ、作業者に大きな労力負担がかからず、周囲の栽培している草花や芝生や野菜などを痛めることなく雑草を容易に取り除くことができ、かつ、その刃の部分に絡みついた雑草を簡単に取り去ることが可能な雑草除去具の実現を目的とする。【構成】  その先端側が分岐して形成されている刃部本体１１と、刃部本体１１の後端側に溶接されると共に、その後端を電動ドリルのチャック部に装着可能な軸部１２と、刃部本体１１周囲に装着され刃部本体１１に接した状態でその長さ方向にスライド可能な草落し部２０とを備えることを特徴とする。【選択図】  図３
2012050427.tif 000002
【特許請求の範囲】
【請求項１】
雑草の根元に刃状体を突き刺して回転させることにより雑草を除去する雑草除去具であって、
前記刃状体は、その先端側が二股以上に複数に分岐して分岐刃を形成しており、
前記分岐刃は、互いに対向する内縁の少なくとも一方の内縁に複数の山型の刃が形成されている、
ことを特徴とする雑草除去具。
【請求項２】
前記刃状体は、その後端側が電動ドリルのチャック部に装着可能な軸部に溶接されていることを特徴とする請求項１に記載の雑草除去具。
【請求項３】
前記刃状体は、その後端側がＴ字型グリップに装着されて固定されていることを特徴とする請求項１に記載の雑草除去具。
【請求項４】
前記刃状体は、金属薄板を打ち抜き加工して成形されていることを特徴とする請求項１〜３のいずれか１項に記載の雑草除去具。
【請求項５】
前記軸部の後端は、前記電動ドリルのチャック部に合わせた円柱または角柱であることを特徴とする請求項２に記載の雑草除去具。
【請求項６】
前記雑草除去具は、更に前記刃状体周囲に装着され前記刃状体に接した状態でその長さ方向にスライド可能な草落し部を備えたことを特徴とする請求項１〜５のいずれか１項に記載の雑草除去具。
【請求項７】
前記草落し部は、草落し部本体と、この草落し部本体に着脱自在に嵌着可能な後蓋と、前記草落し部本体内に収納される弾性部材とを備え、
前記草落し部本体と前記後蓋をそれぞれ前記刃状体に着けた後で前記草落し部本体に前記後蓋を嵌着することで、前記草落し部を前記刃状体にその周囲を包むように装着可能であり、
前記弾性部材は前記刃状体に装着された前記草落し部自身を前記刃状体の後部位置に付勢することを特徴とする請求項１〜６のいずれか１項に記載の雑草除去具。
【請求項８】
前記草落し部本体は、その周縁が前記刃状体のそれぞれの周囲に密接する一対の孔部を備え、
前記草落し部を前記刃状体の長さ方向に添ってスライドさせることにより、前記孔部周縁が前記刃状体に付着した雑草を削り取るようにして排除するようにしたことを特徴とする請求項１〜７のいずれか１項に記載の雑草除去具。
【発明の詳細な説明】
【技術分野】
【０００１】
本発明は、雑草除去具に関し、特に、刃部本体を容易に作成することができ、かつ、雑草除去の作業性の向上を図るとともに、小型軽量で簡単に準備することができ、持ち運びや操作が容易であり、作業者に大きな労力負担がかからず、周囲の栽培している草花や芝生や野菜などを痛めることなく雑草を取り除くことができる雑草除去具に関する。
【背景技術】
【０００２】
雑草の根元にピンや刃を差し込んで手動により回転させることにより、雑草を除去する除去装置として、例えば、特許文献１に示される雑草除去装置が報告されている。
この特許文献１に示される雑草除去装置は、パイプに固着された基盤下面に根引き抜き用の複数の挿入ピンを設けるものであり、操作時には、草の略中央部から一定距離離れた草の根に挿入ピンを刺し込み、パイプを回転させることによって、挿入ピンを草の略中央部を中心に回転させて、根を引き抜き又はちぎって草を取るものである。
この特許文献１に示される雑草除去装置によれば、作業者があまり労力を使うことなく、迅速に、草を根から抜き取る又はちぎり取ることができる、とされている。
【０００３】
また、例えば、特許文献２に示されるように、電動機の動力で除去する雑草除去装置も報告されている。
この特許文献２に示される雑草除去装置は、草の根元に突き刺すことができる複数のピンを有する引き抜き具と、該引き抜き具を回転駆動するための回転動力と、手で持つことのできるハンドルを備え且つ前記回転動力が装着されるスタンドとから構成されており、操作に際しては、複数のピンを草の根元に突き刺した状態で回転動力により引き抜き具を回転駆動する。
この特許文献２に示される雑草除去装置によれば、手で回すことなく簡単に回転して楽に草抜きができ、また、スタンドに設けたハンドルを手で持って草抜き作業が地面に対して立ったまま行えるので、楽に草抜き作業ができる、とされている。
【先行技術文献】
【特許文献】
【０００４】
【特許文献１】特開平６−１８９６０２号公報
【特許文献２】特許平１０−１２７１０１号公報
【発明の概要】
【発明が解決しようとする課題】
【０００５】
しかしながら、上記した従来の雑草除去装置によれば、以下のような問題があった。
（１）まず、特許文献１に示された雑草除去装置では、パイプの先に基盤を固着しその下面に根引き抜き用の複数の挿入ピンを設けるものであり、その形状も複雑で、制作は容易ではなく、コストも嵩むという問題があった。また、特許文献１に示された雑草除去装置では、挿入ピンの表面は凹凸に形成されており、草を取る時にこの凹凸に草の根をより巻きつき易くして、草をより取り易くしているとしているが、この構成では、草の根が凹凸部分に確実に引っ掛かり絡むような構成にはなっておらず、草雑草除去の作業性が良くないという問題があった。
（２）また、特許文献２に示された雑草除去装置では、ドリル／ドライバーなどの電動工具を回転動力として、これによって挿入ピンを回転させているので、装置が大型になると共に電源コードを引き回す必要があり、設定や準備に手間がかかるという問題があった。また、装置構成が大げさになって個人の菜園や花壇などで使用するには適しないという問題があった。
【０００６】
本発明は、以上に述べた従来技術が備える課題を解決して、刃部本体を容易に作成することができ、雑草除去の作業性の向上を図るとともに、小型軽量で簡単に準備することができ、持ち運びや操作が容易であり、作業者に大きな労力負担がかからず、周囲の栽培している草花や芝生や野菜などを痛めることなく雑草を取り除くことができる雑草除去具の実現を目的とする。
【課題を解決するための手段】
【０００７】
以上の課題を解決するため、本発明の雑草除去具は、雑草の根元に刃状体を突き刺して回転させることにより雑草を除去する雑草除去具であって、前記刃状体は、その先端側が二股以上に複数に分岐して分岐刃を形成しており、前記分岐刃は、互いに対向する内縁の少なくとも一方の内縁に複数の山型の刃が形成されている、ことを特徴とする。
【０００８】
以上の構成において、前記刃状体は、その後端側が電動ドリルのチャック部に装着可能な軸部に溶接されていることを特徴とし、または、前記刃状体は、その後端側がＴ字型グリップに装着されて固定されていることを特徴とする。
【０００９】
また、前記軸部の後端は、前記電動ドリルのチャック部の軸固定部に合わせた円柱または角柱であることを特徴とする。
【００１０】
また、前記雑草除去具は、更に前記刃状体周囲に装着され前記刃状体に接した状態でその長さ方向にスライド可能な草落し部を備えたことを特徴とする。
【００１１】
また、前記草落し部は、草落し部本体と、この草落し部本体に着脱自在に嵌着可能な後蓋と、前記草落し部本体内に収納される弾性部材とを備え、前記草落し部本体と前記後蓋をそれぞれ前記刃状体に着けた後で前記草落し部本体に前記後蓋を嵌着することで、前記草落し部を前記刃状体にその周囲を包むように装着可能であり、前記弾性部材は前記刃状体に装着された前記草落し部自身を前記刃状体の後部位置に付勢することを特徴とする。
【００１２】
更に、前記草落し部本体は、その周縁が前記刃状体のそれぞれの周囲に密接する一対の孔部を備え、前記草落し部を前記刃状体の長さ方向に添ってスライドさせることにより、前記孔部周縁が前記刃状体に付着した雑草を削り取るようにして排除するようにしたことを特徴とする。
【発明の効果】
【００１３】
本発明は、以上のように構成されているので、刃部本体を容易に作成することができ、雑草除去の作業性の向上を図るとともに、装置全体が小型軽量で簡単に準備することができ、持ち運びや操作が容易であり、作業者に大きな労力負担がかからず、周囲の栽培している草花や芝生や野菜などを痛めることなく雑草を取り除くことができ、小型軽量の充電式電動ドリルドライバーに装着して用いることが可能な雑草除去具を実現することができる。
【図面の簡単な説明】
【００１４】
【図１】本発明の実施の形態に係る雑草除去具の使用状態を示す図である。
【図２】本発明の実施の形態に係る雑草除去具の外観側面図であり、図２（ａ）は刃部１０の厚み方向に垂直な方向から見た側面図、図２（ｂ）は刃部１０の厚み方向に水平な方向から見た側面図である。
【図３】図２（ｂ）のＡ−Ａ’線断面図である。
【図４】刃部の側面図である。
【図５】刃部の刃部本体の側面図である。
【図６】草落し部を示す図であり、（ａ）は、草落し部を刃部の長さ方向に添ってスライドさせる前の側面図、（ｂ）は、草落し部を刃部の長さ方向に添ってスライドさせた後の側面図である
【図７】草落し部本体を示す図であり、（ａ）は刃部の厚み方向に垂直な方向から見た側面図であり、（ｂ）は刃部の厚み方向に水平な方向から見た側面図で、（ｃ）は刃部の先端側からみた正面図である。
【図８】草落し部後蓋を示す図であり、（ａ）は刃部の厚み方向に垂直な方向から見た側面図であり、（ｂ）は刃部の厚み方向に水平な方向から見た側面図で、（ｃ）は刃部の先端側からみた正面図、（ｄ）は軸部の後端側からみた背面図である。
【図９】３本に分岐した刃部の他の例を示す図であり、（ａ）は中央の分岐刃に山型の刃を形成していない図、（ｂ）は中央の分岐刃に山型の刃を形成した図である。
【図１０】刃部がＴ字型グリップに装着されて固定された状態を示す図であり、（ａ）は平面図、（ｂ）は側面図である。
【発明を実施するための形態】
【００１５】
以下、添付図面に基づき、本発明の実施の形態を詳細に説明する。
図１は、本発明の実施の形態に係る雑草除去具の使用状態を示す図である。
図に示すように、雑草４を除去するために、この雑草除去具１を電動ドリルドライバー３に装着して、雑草除去具１の刃部の先端を雑草４の根元に配置する。この状態から二股に分かれた刃部の先端を、雑草４の根元の地面５に挿入して、電動ドリルドライバー３の電源を入れる。そうすると、電動ドリルドライバー３に装着された雑草除去具１の刃部が回転し、雑草４の根の部分を掘り起こす。このようにして簡単に雑草４を抜くことができる。
【００１６】
図２は、この雑草除去具１の外観側面図であり、図２（ａ）は、刃部１０の厚み方向に垂直な方向から見た側面図、図２（ｂ）は、刃部１０の厚み方向に水平な方向から見た側面図である。
また、図３は、図２（ｂ）のＡ−Ａ’線断面図である。
図２および図３から明らかなように、雑草除去具１は、刃部１０と草落し部２０とで構成されている。このように、比較的簡単な構成であるので、廉価に容易に製造することができる。
【００１７】
図４は、刃部１０の側面図であり、図５は、刃部１０の刃部本体１１の側面図である。
図４および図５から明らかなように、この雑草除去具１の刃部１０は、刃部本体１１と、軸部１２から構成されている。刃部本体１１と軸部１２とは、溶接され一体化して構成されている。
【００１８】
刃部本体（請求項の刃状体に当たる）１１の先端側は、二股に分割された二股部１１２となっていて、その二股のそれぞれの先端は、できるだけ地面５に挿入しやすいように尖らせてある。二股に分かれているため、この二股の間を地面５から生えている雑草４の茎の下に合わせて挿せばよく、また、目で見て狙いやすい。このため、雑草４を一本ずつ狙って抜いていけるため、菜園や花壇などで周囲に栽培している作物の野菜や草花や木や芝などを痛めることなく作業することができる。また、掘る範囲が狭いので地面５を広い範囲で掘り返すことがなく、作業が容易になると共に、周囲の地面を乱すことがない。
【００１９】
さらに、この二股部１１２の二股の互いに対向する内縁には、複数の山型状（鉤状）の刃１１１が設けられている。これにより、二股のそれぞれが地面５に挿入しやすくなると共に、刃１１１が鉤状となっているため、その部位に雑草４の茎や根に引っ掛かり絡みやすくなり、雑草除去の作業性を良くする効果がある。また、二股部１１２の長さが比較的長いため、土中深くまで挿し込み草等を根から抜くことができる。このため、雑草除去作業後に草が生えにくいという効果もある。
【００２０】
また、刃部本体１１は、一枚の金属薄板（鋼板）から打ち抜き加工によって成形している。刃部本体１１の厚みを薄くすると、刃部本体１１は地中に挿入しやすくなる。ただし、強度が弱くなって折れや曲がりなどが発生しないようにするために、熱処理を施して強度を上げるようにしている。このように、刃部本体１１を板材で製作するため簡単に作ることができる。
【００２１】
刃部１０は、前述したように、刃部本体１１の後端に軸部１２を溶接して構成されている。軸部１２は、雑草除去具１が装着される電動ドリルドライバー３のチャック部に合わせた円柱または角柱のものを用いている。このように、既成の棒材を溶接で接続して用いることで、電動ドリルドライバー３のチャック部にあった構造を容易に製造できると共に、充分な強度の支持部を実現することができる。
【００２２】
図６は、この刃部１０に設けられる草落し部２０を示す図であり、図６（ａ）は、草落し部２０を刃部１０の長さ方向に添ってスライドさせる前の側面図、図６（ｂ）は、草落し部２０を刃部１０の長さ方向に添ってスライドさせた後の側面図である。
図に示すように、刃部１０には、草落し部２０が設けられている。この草落し部２０は、雑草除去の作業中に雑草が刃部１０の刃部本体１１に絡みついた場合に、これを取り除くために設けられたものである。この草落し部２０は、図３の断面図に示したように、草落し部本体２１と草落し部後蓋２２からなる筐体と、この筐体内部に設けられているスプリング２３から構成されている。この草落し部本体２１と草落し部後蓋２２は樹脂で成形されている。
【００２３】
図７は、草落し部本体２１を示す図であり、図７（ａ）は刃部１０の厚み方向に垂直な方向から見た側面図であり、図７（ｂ）は刃部１０の厚み方向に水平な方向から見た側面図で、図７（ｃ）は刃部１０の先端側からみた正面図である。
また、図８は、草落し部後蓋２２を示す図であり、図８（ａ）は刃部１０の厚み方向に垂直な方向から見た側面図であり、図８（ｂ）は刃部１０の厚み方向に水平な方向から見た側面図で、図８（ｃ）は刃部１０の先端側からみた正面図、図８（ｄ）は軸部１２の後端側からみた背面図である。
【００２４】
以下、図６〜図８に基づき、必要に応じて図１〜図５を参照しつつ、草落し部２０の機能について説明する。
草落し部２０は通常、内部に設けられたスプリング２３の付勢力によって、図６（ａ）の刃部本体１１の後方の位置にある。刃部本体１１に絡んだ雑草４の茎や根をとる場合には、作業者が手で草落し部２０の筐体部分をスライドさせて、図６（ｂ）の位置まで移動させる。
【００２５】
草落し部本体２１の正面には、図７（ｃ）に示すように、１対のガイド穴２１１が設けられている。このガイド穴２１１の内縁は、ちょうど２本の刃部本体１１の二股部分の周囲に密接するような大きさになっているため、草落し部２０の筐体部分をスライドさせて、刃先近くの図６（ｂ）の位置まで移動させると、刃部本体１１に絡んだ雑草４の茎や根を削り取るようにして排除することができる。
【００２６】
これにより、軽い力で絡んだ雑草４を落とすことができ、手を離せば、草落し部２０はスプリング２３の力で元の位置に戻るようになる。
草落し部２０は、その先の部分につば２１２が付いているので、移動させるとき、手が刃部１０に触れる虞が少ない。このつば２１２は、同時に、雑草４が草落し部２０に絡むことを防ぐ役割をも果たしている。
【００２７】
万が一、草を落とす途中に電動ドリルドライバー３が駆動し草落し部２０が回転したとしても、草落し部２０の筐体部分は円筒形に形成されているので、手、指が引っかかることがなくその分安全である。
【００２８】
ところで、草落し部２０は、図７、図８に示した草落し部本体２１と草落し部後蓋２２に分かれた構成になっており、両者は相互に着脱自在に嵌着可能になっている。
草落し部後蓋２２の装着穴２２１を刃部の軸部１２に通し、草落し部本体２１のガイド穴２１１を刃部本体１１の二股部１１２に通した後、草落し部本体２１と草落し部後蓋２２を嵌着することで、草落し部２０を簡単に刃部１０に装着することができ、また草落し部本体２１と草落し部後蓋２２の嵌着をはずすことで簡単に草落し部２０を開くことができる。
【００２９】
したがって、簡単に草落し部２０を刃部１０に着脱することができると共に、草落し部２０の内部に土や泥が入った場合や刃部１０に泥が付着した場合でも簡単に掃除することができる。
【００３０】
本発明の雑草除去具１は、以上に述べたように構成されているので、簡単な操作で雑草４を簡単に除去することができ、また、絡んだ雑草４を取り除くことができる。また、電動ドリルドライバー３に装着して用いるので、地面５に刃先を差し込むとき、電動ドリルドライバー３の大きなグリップを持つことになり力が入りやすいという利点もある。さらに、電動ドリルドライバー３に充電型のものを用いれば、電源コードを引き回す必要がなく、作業準備はいたって簡単である。また、作業者が大きな力を出す必要がないため、高齢者や女性でも簡単に作業することができる。また、刃部１０や草落し部２０の清掃も容易である。
【００３１】
なお、以上の実施の形態では、刃部１０の先端側が二股に分岐したものを例にとって説明したが、これに限るものではなく、例えば、図９に示すように、二股以上（例えば、５股）に分岐させたものであっても良い。なお、図９は、３本に分岐した刃部１０の他の例を示す図であり、（ａ）は中央の鉾状の分岐刃１１３に山型の刃を形成していない図、（ｂ）は中央の鉾状の分岐刃１１３に山型の刃を形成した図である。
この場合においても、刃部本体１１の刃１１１の互いに対向する内縁の少なくとも一方の内縁に、前述と同様に複数の山型の刃をそれぞれ形成し、草落し部には、これら刃部本体１１を挿通させるガイド穴が刃部本体分設けるようにする。このように、刃部１０の先端側が三股以上に分岐したものを用いる場合、二股のものと同様な効果に加えて、草の根や茎を容易に絡められるという効果や、刃部の強度が増し安定的に使用することができるという効果がある。
【００３２】
また、以上の実施の形態では、軸部１２を電動ドリルドライバー３のチャック部に装着する例をもって説明したが、あえて電動である必要はなく、例えば、図１０（ａ）および（ｂ）に示すように、刃部本体１１の後端をＴ字型グリップ３０に装着固定し、グリップのＴ字型部分を手で把持し回転させることにより手動で雑草除去を行うようにしても良い。
【産業上の利用可能性】
【００３３】
本発明は、以上に述べたように構成されることにより、家庭の花壇や芝生や菜園で、公園やゴルフ場などで、道路や線路脇などの公共の場で、雑草の除去に用いることができ、種々の産業分野で広く利用される可能性を有している。
【符号の説明】
【００３４】
１    雑草除去具
３    電動ドリルドライバー
４    雑草
５    地面
１０  刃部
１１  刃部本体
１２  軸部
２０  草落し部
２１  草落し部本体
２２  草落し部後蓋
２３  スプリング
１１１  刃
１１２  二股部
２１１  ガイド穴
２１２  つば
２２１  装着穴
【図１】
2012050427.tif 000003
【図２】
2012050427.tif 000004
【図３】
2012050427.tif 000005
【図４】
2012050427.tif 000006
【図５】
2012050427.tif 000007
【図６】
2012050427.tif 000008
【図７】
2012050427.tif 000009
【図８】
2012050427.tif 000010
【図９】
2012050427.tif 000011
【図１０】
2012050427.tif 000012